(57)【特許請求の範囲】
【請求項１】
基礎部材に固定される金具本体と、金具本体に固定されて支柱の下部を挿嵌して支持する支持筒とが備えられた支柱用支持金具において、
支持筒を４つの側壁を備えた角筒に形成して上端を開口し下端を金具本体に固定するとともに、支持筒の対向する一対の側壁のそれぞれには、下方スリット及び下方スリットの左右端からそれぞれ上方に連続する縦スリットを一体に形成し、これらスリットにより囲まれて支柱の挿入方向先端側が自由端となった圧着片を形成し、この圧着片には、ボルトの挿通孔が設けられて、この挿通孔に挿通したボルトの締め付けにより、圧着片の自由端側が支持筒内に変位可能であることを特徴とする支柱用支持金具。
【請求項２】
支持筒の対向する一対の側壁であってボルトの挿通孔を設けていない側壁のそれぞれには、複数のくぎ孔を設けていることを特徴とする請求項１に記載の支柱用指示金具。
【発明の詳細な説明】
【０００１】
【発明の属する技術分野】
本発明は、柵等の支柱を地面に安定的に立設させるための支柱用支持金具に関する。
【０００２】
【従来の技術】
従来、柵等の支柱を地面に立てる支柱用支持金具としては、図７に示す構造のものが提案されている。
【０００３】
この支柱用支持金具は、ブロック状の基礎部材Ａに固定される断面略逆Ｕ字状の金具本体Ｂと、この金具本体Ｂの上端に一体的に設けられ、支柱Ｃの下端を嵌め込む断面略正方形の支持筒Ｄとが備えられている。
【０００４】
そして以上の支持金具では、支柱Ｃが支持筒Ｄに無理なく挿入できるように、支柱Ｃの外法を支持筒Ｄの内法よりも多少小さい寸法に形成されており、支持筒Ｄに挿入された支柱Ｃは多少ぐらつく。
【０００５】
そのため以上の支持金具では、支柱Ｃのぐらつきを解消するために、支持筒Ｄの四方側壁中における対向壁の一組Ｄ１には、ボルト挿通孔Ｅが設けられ、それ以外に対向壁Ｄ２には、その上端から下方に延びるスリットＦが設けられている。
【０００６】
そして、支持金具にあっては、金具本体Ｂを基礎部材Ａに固定した上で、支持筒Ｄ内に支柱Ｃの下端部を嵌め込み、続いてボルトを一方のボルト挿通孔Ｅから支柱Ｃの下端部に形成した貫通孔を介して他方のボルト挿通孔Ｅに挿通し、その挿通端部にナットを螺締することで、支持筒Ｄにおける一組の対向壁Ｄ１の上端側を互いに近接する方向に変形させて、支柱Ｃを支持筒Ｄに対してがた付きなく固定するようにしている。（特許文献１参照）
【０００７】
【特許文献１】
実用新案登録第３０６６５３０号
【０００８】
【発明が解決しようとする課題】
しかしながら、以上の構造のものでは、ボルトＧの締め付けにより、支持筒Ｄにおける一組の対向壁Ｄの上部全体を変形させる必要があり、そのためボルトＧの締め付けに際して大きな締め込み力が必要で、作業性が悪く、しかも前述の構造のものでは、支持筒Ｄに対する支柱Ｃの抜け方向に対しては、係止力が弱く、不用意に支柱Ｃが支持筒Ｄに対して抜き方向に引っ張られると、支柱Ｃが支持金具に対してずれ動く不具合も考えられる。
【０００９】
本発明は以上の実情に鑑みて開発されてもので、目的とするところは、簡単な構成でありながら、支柱を安定的にしかもがたつきなく支持することができる支柱用支持金具を提供することを目的とする。
【００１０】
【課題を解決するための手段】
前記した目的を達成するために、請求項１に記載の発明は、基礎部材に固定される金具本体と、金具本体に固定されて支柱の下部を挿嵌して支持する支持筒とが備えられた支柱用支持金具において、支持筒を４つの側壁を備えた角筒に形成して上端を開口し下端を金具本体に固定するとともに、支持筒の対向する一対の側壁のそれぞれには、下方スリット及び下方スリットの左右端からそれぞれ上方に連続する縦スリットを一体に形成し、これらスリットにより囲まれて支柱の挿入方向先端側が自由端となった圧着片を形成し、この圧着片には、ボルトの挿通孔が設けられて、この挿通孔に挿通したボルトの締め付けにより、圧着片の自由端側が支持筒内に変位可能であることを特徴とするものである。
【００１１】
請求項２に記載の発明は、請求項１に記載の支持筒の対向する一対の側壁であってボルトの挿通孔を設けていない側壁のそれぞれには、複数のくぎ孔を設けていることを特徴とするものである。
【００１２】
【発明の実施の形態】
以下、本発明の実施形態について図面を参照しながら説明する。
図１〜図３に示す支柱用支持金具２は、基礎部材としてのコンクリートブロック１に固定して用いるようにしたものである。
【００１３】
この支柱用支持金具２は、コンクリートブロック１に固定される金具本体３と、金具本体３に固定されて支柱１０の下部を挿嵌して支持する支持筒４とが備えられている。
【００１４】
金具本体３は、コンクリートブロック１上に載る上壁部３１と、この上壁部３１の両端から下方に延びてコンクリートブロック１の側面に沿う左右側壁部３２・３３とを備えた断面略逆Ｕ字状に形成されている。
【００１５】
金具本体３における側壁の一方３２には、貫通孔（図示せず）が設けられると共に、この側壁３２の外面には、貫通孔３４に連通するようにナット３４が固着されている。
【００１６】
支持筒４は、４つの側壁４１・４２・４６・４７を備えた断面略正方形の角筒に形成して上端が開口されるとともに、その下端が金具本体３の上壁部３１の上面に溶接で固着されている。
【００１７】
以上の金具本体３及び支持筒４は金属材料から形成されている。
【００１８】
そしてこの支持筒４における４つの側壁中、相対向する一対の側壁４１・４２のそれぞれには、下方スリット及び下方スリットの左右端からそれぞれ上方に連続する縦スリットを一体に形成した略Ｕ字状のスリット４３が形成されて、下方スリット及び縦スリットからなるこのスリット４３で囲まれた部位に、その下端側、換言すれば支柱５の挿入方向先端側が自由端となった圧着片４４が形成されている。そしてこの圧着片４４の中央には、ボルト６の挿通孔４５が設けられている。
【００１９】
また支持筒４の対向する一対の側壁であってボルト６の挿通孔４５を設けていない残りの側壁４６・４７のそれぞれには、複数のくぎ孔４８が設けられている。
【００２０】
一方、支柱５の下端部には、ボルト６が遊挿可能な貫通孔５１が設けられている。
【００２１】
尚、図中３１ａは、金具本体３の上壁部３１に設けた水抜き孔である。
【００２２】
次に以上の構成からなる支柱用支持金具２の使用例を説明する。
【００２３】
まず、図１に示すように、金具本体３をコンクリートブロック１上に嵌め込んだ上で、ボルト３５をナット３４に螺締して、ボルト３５の先端をコンクリートブロック１の側面に圧接させ、これにより、金具本体３がコンクリートブロック１に堅固に固定される。
【００２４】
次いで、支持筒４内に支柱５の下端部を挿入して、その下端を金具本体３の上壁部３１の上面に載せた上で、ボルト６を、一方の挿通孔４５から支柱５の貫通孔５１を介して他方の挿通孔４５に順次挿通して、その挿通端部にナッ６０を螺締するのである。
【００２５】
斯くしてボルト６乃至ナット６０の締付け操作に伴い、図３に示すように、圧着片４４の下端側（遊端側）が容易に内方に撓んで 圧着片４４の下端が支柱５の側面に食い込むのであって、これにより、支柱５が支持筒４に対して強固に固定されるのである。
【００２６】
しかも支柱５に食い込んだ圧着片４４が楔の役割を果たし、支柱５が支持筒４に対して抜かれる方向（図２において矢印Ｘ方向）に引っ張られても、支柱５が支持金具２に対して不用意にずれ動くようなことがなく、支柱５は支持金具２に強固に固定されるのである。
また更にくぎをくぎ孔４８を介して支柱３に打ち込むことで、より一層、支持金具２に対する支柱５の固定が強固となる。
【００２７】
以上の実施形態では、金具本体３を直線状のコンクリートブロック１に嵌め込むようにしたが、これに限定されるものではなく、例えば図４に示すように、金具本体３を平面視Ｌ字状に形成して、金具本体３をコンクリートブロック１のコーナーに取り付けられるようにしてもよい。
【００２８】
また圧着片４４の下端を例えば図５に示すように湾曲状にしたり、あるいは図６に示すように鋸刃状に形成して、圧着片４４の下端にエッジ部分４９を形成することで、より一層、圧着片４４の支柱５への噛み込が確実となる。
【００２９】
また以上の実施形態では、支持金具２を構成する金具本体３をコンクリートブロック１上に嵌合固定するようにしたが、これに限定されるものではなく、例えば、金具本体３を杭状に形成して、金具本体３を地面に直接打ち込み可能としてもよい。
【００３０】
【発明の効果】
以上、説明したように、請求項１に記載の発明によれば、基礎部材に固定される金具本体と、金具本体に固定されて支柱の下部を挿嵌して支持する支持筒とが備えられた支柱用支持金具において、支持筒を４つの側壁を備えた角筒に形成して上端を開口し下端を金具本体に固定するとともに、支持筒の対向する一対の側壁のそれぞれには、下方スリット及び下方スリットの左右端からそれぞれ上方に連続する縦スリットを一体に形成し、これらスリットにより囲まれて支柱の挿入方向先端側が自由端となった圧着片を形成し、この圧着片には、ボルトの挿通孔が設けられて、この挿通孔に挿通したボルトの締め付けにより、圧着片の自由端側が支持筒内に変位可能としただけの簡単な構成により、従来よりも小さなボルトの締付け力でも圧着片を容易に変形させて、支柱をがたつきなく安定的に固定することができ、しかも支持筒に対する支柱の抜け方向の移動を確実に抑制することが出来るに至ったのである。
【００３１】
請求項２に記載の発明によれば、請求項１に記載の支持筒の対向する一対の側壁であってボルトの挿通孔を設けていない側壁のそれぞれには、複数のくぎ孔を設けたことにより、請求項１に記載の発明の効果に加え、支持金具に対する支柱の固定がより一層強固に行なえるに至ったのである。
【図面の簡単な説明】
【図１】  本発明にかかる支柱用支持金具の一実施形態を示す斜視図。
【図２】  同、使用状態を示す斜視図。
【図３】  同、要部の拡大断面図。
【図４】  本発明にかかる支柱用支持金具の別の実施形態を示す斜視図。
【図５】  本発明にかかる支柱用支持金具の別の実施形態を示す正面図。
【図６】  本発明にかかる支柱用支持金具の別の実施形態を示す正面図。
【図７】  従来の支柱用支持金具の斜視図。
【符号の説明】
１  コンクリートブロック（基礎部材）
２  支柱用支持金具
３  金具本体
４  支持筒
４１・４２  側壁
４３  スリット
４４  圧着片
４５  挿通孔
４６・４７  側壁
４８  くぎ孔
５  支柱
６  ボルト
【図１】
0004098138.tif 000002
【図２】
0004098138.tif 000003
【図３】
0004098138.tif 000004
【図４】
0004098138.tif 000005
【図５】
0004098138.tif 000006
【図６】
0004098138.tif 000007
【図７】
0004098138.tif 000008